(57)【要約】  外筒側の内筒との接触部分に内筒と篏合する機構を設け、バンピング行為によって、ある一定以上の押込み応力を加えた際に当該篏合部分が篏合して内筒の回転を抑制する機構、あるいは、鍵が挿入されていない定常状態で、既に当該篏合部分が篏合し合っているシリンダーシステムにおいて、純正キーを挿入して回転させる際、内筒後方に固定したテールディスクと外筒後方先端部との隙間分、シリンダー内筒が前方に飛び出して篏合部分を解除して内筒の回転をフリーにする様式の構造であってもよい。この場合、バンピング行為によるバンプキーの押込みの応力によって、篏合部分が作用することで内筒の回転をロックでき、バンピング行為を防ぐことができる。
2009037729.tif 000002
【特許請求の範囲】
【請求項１】
シリンダー外筒とシリンダー内筒の一部に篏合構造を備えたシリンダーシステム。
【請求項２】
シリンダー外筒とシリンダー内筒の一部に篏合構造を備えたシリンダーシステムにおいて、定常時に当該篏合部分が作用した状態で内筒の回転を阻止する構造を特徴とするアンチバンピング・シリンダー。
【請求項３】
シリンダー外筒とシリンダー内筒の一部に篏合構造を備えたシリンダーシステムにおいて、バンピング等の行為によってシリンダー内筒に押込み応力が加わった場合に当該嵌合部分が作用して内筒の回転を阻止する構造を特徴とするアンチバンピング・シリンダー。
【請求項４】
シリンダー外筒がシリンダー内筒の前方先端部と接する一部に突起を設け、当該突起部分が内筒の切削部分と嵌合する仕組みを備え、かつ内筒の後方先端に固定したテールディスクと外筒後方先端部との間に隙間を設け、よってシリンダー内筒が手前に引き出た状態でないと回転できない構造をもつことを特徴とするアンチバンピング・シリンダー。
【請求項５】
シリンダー外筒がシリンダー内筒の前方先端部と接する一部に突起を設け、当該突起部分が内筒の切削部分と嵌合する仕組みを備え、かつシリンダー内筒が定常状態よりも後方側に押し込めるような遊びを有し、よってシリンダー内筒にバンピング等の行為によって押込み応力が加わった場合に当該嵌合部分が作用して内筒の回転を阻止する構造をもつことを特徴とするアンチバンピング・シリンダー。
【請求項６】
シリンダー外筒がシリンダー内筒の後方先端部と接する一部に溝を設け、キー先端と接する先端合わせ部品の動きに連動する部品が、当該溝に嵌合する仕組みを備え、よってバンピング等の行為によって、キーに一定以上の押込み応力が加わった場合に当該嵌合部分が作用して内筒の回転を阻止する構造をもつことを特徴とするアンチバンピング・シリンダー。
【請求項７】
シリンダーシステムがピンタンブラーで構成されたことを特徴とする特許請求の範囲第１項ないし第６項に記載のアンチバンピング・シリンダー。
【請求項８】
シリンダーシステムがディスクタンブラーで構成されたことを特徴とする特許請求の範囲第１項ないし第６項に記載のアンチバンピング・シリンダー。
【請求項９】
シリンダーシステムがピンタンブラー及びディスクタンブラーで構成されたことを特徴とする特許請求の範囲第１項ないし第６項に記載のアンチバンピング・シリンダー。
【発明の詳細な説明】
【技術分野】
【０００１】
本発明は、ピンを用いた全てのシリンダー錠に共通の致命的な弱点を利用した解錠手法であるバンプキー（ｂｕｍｐｋｅｙ）を用いたバンピング（ｂｕｍｐｉｎｇ）による不正解錠操作に際し、純正キーの通常の使用法以外でのシリンダー内筒の回転を抑制することによってバンピングによる不正解錠を阻止できるアンチバンピング・シリンダーに関する。さらに、定常時の内筒の回転をロックすることによって、ピッキング等の行為に欠かせない内筒への回転応力を掛ける行為を阻止することによってピッキングによる不正解錠をも阻止できる機構に関する。
【背景技術】
【０００２】
従来、ピンを用いたシリンダー錠を純正キー以外の特殊工具で開錠する場合、ピックという専用工具を用いて、テンションをかけながら個々の下ピンを持ち上げて上ピンと下ピンの境をシャーラインに揃えて内筒を回したり、レーキングという方法で同様にシャーラインに揃えて内筒を回したりする方法や、ピックガンあるいは電動ピックガンという工具で、下ピンに衝突エネルギーを与えて、ニュートン力学に従って上ピンのみを跳ね上げて、一瞬シャーラインをフリーにしたりする方法で内筒を回す方法が知られている。これらの従来法は、特殊な工具とこれらの工具を扱う熟練した技術やノウハウが必要で、それなりに訓練をした者が使える方法で素人が誰でも出来るような方法ではなかった。しかし、これらの従来法よりも効率的に短時間で、しかも熟練した技術も必要としない開錠方法であるバンピング（ｂｕｍｐｉｎｇ）という新たな手法が大きな問題になって来た。この手法は、バンプキー（ｂｕｍｐｋｅｙ）という特殊加工したキーを鍵穴に挿入して、当該バンプキーを叩くだけで簡単に解錠に至るという手法である。この方法の一番の特徴は、各シリンダーに特有のバンプキーさえ作ってしまえば、その１本のバンプキーで、それに対応した全てのシリンダーが一瞬にして開錠可能になることである。また特殊な技術を必要としないため専門家でなくても簡単に開けることができてしまうほどの容易な手法であることから、この方法が広く知れ渡ると、全世界の約８割近いピンシリンダーは、バンピングによる不正解錠の脅威に曝されることになる。つまり、ピッキング手口よりも深刻な事態になることは間違いなく、ピンシリンダーメーカーの存続にも影響を及ぼす大きな問題となる可能性がある。【０００３】
さて、このバンプキーの基本的な形状は、ピンシリンダーに固有のピンの段差のうち、もっとも長い下ピンに対応したキーのカットを全てのピン位置についてカットした形状を有し、このバンプキーをシリンダーの鍵穴に挿入した状態で若干の隙間を持たせてハンマーのようなもので叩き込むことにより、そのシリンダーに内装された全ての下ピンに一斉に衝突エネルギーを与えることができる。つまり、キーに切削された鍵山（谷）と鍵山（谷）の間のスロープ（山）に下ピンの先端が衝突する。この衝突エネルギーは、下ピンに接する上ピンに伝わり、ピックガンと同様の原理で上ピンが弾き飛ばされ、一瞬、上ピンが跨いでいたシャーラインがフリーになり、内筒が回転可能な状況ができる。この一瞬を狙い内筒に回転応力を掛けると、内筒は、いとも簡単に回転し開錠されてしまう。基本原理はピックガンなどと同じ原理であるが、最大の違いは、ピックガンは一度に全ての下ピンに均等に衝突エネルギーを与えることが非常に困難であることに対して、バンプキーは一度に均等の衝突エネルギーを全ての下ピンに同時に与えることができることである。従って、ピッキング対策として様々に工夫されたピン形状、例えばマッシュルーム型の上ピンや両端部の径を大きくしたような上ピンであっても、全く関係なく一瞬にして弾き飛ばされシャーラインがフリーになってしまう。また、ピッキング対策として複雑で狭いキーウェイをもった内筒であっても、純正キーと同じ形状のキーを深い段差でカットして使用するため、キーウェイの複雑さはバンプキーの使用には何ら影響を及ぼさない。
また、ピッキングやバンピングによる不正解錠の最も恐ろしい共通点は、その結果が証拠として残らない無傷開錠手口に分類されることである。つまり、バンピングによって開錠された場合、ピッキングによる手口と同じく、開錠された形跡が全く残らないため、家人が不在中に侵入され、待ち伏せ強盗や強姦、殺人などに発展したり、金品を取らないで、クレジットカードや銀行カード等のデータをスキミングして犯行に気付かれずに現金を引き出したり、盗聴・盗撮を目的として侵入して、逆サムターン回しの手口で施錠して出て行けば、全く侵入に気付かれないで犯行を犯すことが可能となる。つまり、破壊開錠による侵入よりもいろいろな面で恐ろしい手口に成り得る。
これまで、無傷開錠手口の中で代表的手法であったピッキングよりも、さらに恐ろしい手口がバンピングによる方法である。ピッキングよりも拡がり易い可能性を持っており、今後は世界中のピンシリンダーが、この手口の脅威に曝されることになる。その理由として、次の３つの要因が挙げられる。
まず第１に、バンプキーはピッキング工具のような特殊工具ではないことが挙げられる。すなわち、バンプキーは、その種のシリンダーに使用されている純正キーを使って、最深度もしくはそれ以上に切削すれば誰でも容易に製作できてしまう。この点が、同じ無傷開錠のピッキング手口よりも注意しなければいけない点であるが、特殊工具でないために法律でその所持を取り締まるわけにもいかず、この手口の浸透を防ぐ方法は今のところ見当たらない。
第２に、バンプキーさえ正確に出来てしまえば、その使用方法は至って簡単で、特殊技能や経験を一切必要とせず、子供でも真似して出来てしまうほどの手法であることが挙げられる。従って、バンプキーさえ入手できてしまえば、誰でも簡単にシリンダーを不正解錠できてしまうことになる。
第３に、そのような情報がインターネットで拡がって行く可能性が挙げられる。またバンプキー自体もインターネット通販などで販売され、誰でも入手可能な状況になり得る時代背景であるため、更にこれを複製して拡大して行くことは否定できない。
従って、我々が最も危惧しなくはいけないことは、この手法が犯罪に使われることで、犯罪者がバンプキーを作製して持ち歩けば、そのシリンダーのマスターキーを持っているのと同じ役目を果たし、そのシリンダーで防犯対策を講じている建物は、常時侵入の脅威に曝されることになる。このバンプキーの存在によって、古典的なピンシリンダー、つまり下ピンと上ピンから構成される全てのピンシリンダーについて、ピッキング対策としてどれだけピンの数を増やし、ピンの突出角度を工夫し、理論上の鍵違い数を天文学的に増やしたとしても、一瞬で開錠可能となりカギの役目を果たさない状況に追い込まれることになる。つまり、古典的なピンシリンダー時代の終焉を告げる手法の出現と言っても過言でない。【０００４】
最近、このようなバンピングによる開錠手法に対し、ピンの形状を工夫することによってバンピングし難くしたり、内筒を特殊加工したりして基本形状のバンプキーでは開錠できないシリンダーも考案（特開2006-77442）されているが、これは１本のバンプキーで全ての同型シリンダーを開錠させなくするということでは意味があるが、１対１でバンプキーを製作されてしまうと開錠できてしまうという弱点を残している。つまり、バンピング対策としてピンの形状を工夫したり、バネ圧に強弱をつけたりしても、そこには限界があり、バンピングによる上ピンの跳ね上げの可能性を低くできたとしても、原理的には完全に阻止することができなかった。
【特許文献１】特開２００６−７７４４２号公報
【発明の開示】
【発明が解決しようとする課題】
【０００５】
本発明は、上記した実状に鑑みてなされたもので、バンプキーによる開錠の原理を応用したバンピング対策シリンダーのスタンダードと成り得る機構を提供するものである。特に、本発明は、従来製品と比較して特殊な加工を行ったり、複数のピンを利用して複雑な構造をもたせたりすること無しに、既存の製品に多少、手を加えるだけで完璧なバンピング対策が出来る画期的な機構を備える点にある。
具体的には、
バンピングによって不正解錠を試みようとした場合、背面めんくの上ピン自体が跳ね上がってシャーラインがフリーになったとしても、内筒の回転が完全に阻止されるため、バンピングでは開錠できなくなる。また、原理的にどのようなタイプのシリンダーであっても、内筒もしくは外筒の一部を加工することによって、この作用が備わるため、バンピングの可能性のあるシリンダーに広く応用が可能となる機構と成り得る。これらの機構は、シリンダー自体の外観に影響を及ぼさないため、見た目には従来型のシリンダーと違いなく見えるが、ユーザーが純正キーを使用して通常に内筒を回す際、当該機構が付加した特徴的な感触があるので、その違いを実感できる。
【課題を解決するための手段】
【０００６】
本発明に係るアンチバンピング・シリンダーは、シリンダー外筒とシリンダー内筒の一部に篏合構造を備え、定常時に当該篏合部分が作用した状態で内筒の回転を阻止し、またバンピング等の行為によってシリンダー内筒に押込み応力が加わった場合に当該嵌合部分が作用して内筒の回転を阻止することを特徴としている。
具体的には、本発明に係るアンチバンピング・シリンダーは、シリンダー外筒がシリンダー内筒の前方先端部と接する一部に突起を設け、当該突起部分が内筒の切削部分と嵌合する仕組みを備え、かつ内筒の後方先端に固定したテールディスクと外筒後方先端部との間に隙間を設け、よってシリンダー内筒が手前に引き出た状態でないと回転できないようにしている。
また、本発明に係るアンチバンピング・シリンダーは、シリンダー外筒がシリンダー内筒の前方先端部と接する一部に突起を設け、当該突起部分が内筒の切削部分と嵌合する仕組みを備え、かつシリンダー内筒が定常状態よりも後方側に押し込めるような遊びを有し、よってシリンダー内筒にバンピング等の行為によって押込み応力が加わった場合に当該嵌合部分が作用して内筒の回転を阻止するようにしている。
さらに、本発明に係るアンチバンピング・シリンダーは、シリンダー外筒がシリンダー内筒の後方先端部と接する一部に溝を設け、キー先端と接する先端合わせ部品の動きに連動する部品が、当該溝に嵌合する仕組みを備え、よってバンピング等の行為によって、キーに一定以上の押込み応力が加わった場合に当該嵌合部分が作用して内筒の回転を阻止するようにしている。
【発明の効果】
【０００７】
本発明に係るアンチバンピング・シリンダーは、ピンの形状などを工夫するだけではなし得なかったバンピング対策をあらゆるタイプのシリンダー構造で達成可能な完全なる対策法を提供できる。つまり本発明のアンチバンピング・シリンダーにバンプキーを用いてバンピング行為を行うと、その衝撃力はシリンダー内筒と外筒を篏合させる作用に働き、その結果、内筒の回転にロックがかかり、内筒が回らないという状況を作り上げる。複数のピンを用いたピンシリンダー系や他のロック機構との組み合せにおいても適用可能であり、さらには公知のバンピング対策との組合せも可能であることから、応用範囲は広い汎用発明である。
本発明の原理を用いれば、バンピング対策として複雑なピン構造を用いたり、新たな製造ラインを新設する設備投資がかからず、比較的簡単に現行のピンシリンダーの弱点を改良でき、しかも完全なる対策品としてリニューアルすることができる。
また、本発明の原理は、バンピング行為以外にもピックガンや電動ピックガンのようなバンプキーと同様の原理で開錠する工具に対しても全く同じ効果が得られる。さらには、ピッキング行為に対しても、本発明のアンチバンピング・シリンダーは効果を発揮する。
つまり、純正キーを用いた内筒の回転以外は全てその行為を阻止できる構造であり、最も確実で簡単には攻略できない機構である。メカだけでこのような効果を装備したシリンダーは、これまでに無く、画期的な発明である。
現在、市場に出ている耐バンピング性能を有したピンシリンダーであっても、メカ以外の特別な仕組みを組み合わせていない限り、１対１のバンプキーを作られてしまうと必ず開錠可能になるが、本発明の機構を内装しておけば攻略不可能なシリンダーとなる。
従って、本発明のアンチバンピング・シリンダーの出現によって、将来、犯罪の拡大が懸念されるバンピングに対して、完全なる防犯対策が可能となり、我々は、その犯罪の脅威から逃れることが出来る。
【図面の簡単な説明】
【０００８】
【図１】定常状態で篏合部分１８が篏合状態にある本発明のアンチバンピング・シリンダーに純正キー１を挿入した時の断面図である。
【図２】図１のアンチバンピング・シリンダーの内筒２を純正キー１で回転可能な状況にした瞬間の側面図である。
【図３】図１のアンチバンピング・シリンダーにバンプキー１９を挿入した時の断面図である。
【図４】図３の状態からバンプキー１９を叩き込んで上ピンを弾き飛ばした瞬間の断面図である。篏合部分１８の状態が保持されている。
【図５】本発明に係るアンチバンピング・シリンダーの外筒側の篏合に関る突起部分を示した外観図である。
【図６】本発明に係るアンチバンピング・シリンダーの内筒側の篏合に関る切り欠け部分を示した外観図である。
【図７】本発明に係るアンチバンピング・シリンダーの外筒と内筒を組合せたシリンダーシステムにおいて、定常状態における篏合状態を示した外観図である。
【図８】本発明に係るアンチバンピング・シリンダーの外筒と内筒を組合せたシリンダーシステムにおいて、純正キーによって内筒の回転が可能な状態になっている様子を示した外観図である。但し、純正キーは図示していない。
【図９】図７の篏合部分を拡大して示した外観図である。
【図１０】図８の篏合部分を拡大して示した外観図である。
【図１１】定常状態で篏合部分３７がフリーの状態にある本発明のアンチバンピング・シリンダーの一態様を示す断面図である。純正キー１を挿入した時の内部構造を示す。
【図１２】図１１に示した本発明のアンチバンピング・シリンダーにバンプキー１９を挿入した時の様子を示す断面図である。
【図１３】図１２でバンプキーを叩き込んで下ピンに衝撃エネルギーを与えた瞬間の構造を示す断面図である。バンプキーも奥にスライドして篏合部分３７が作用している様子を示している。
【図１４】キーの先端でピッチを調整しているシリンダーシステムにおいて、定常状態ではロックピン５３がフリーの状態にある本発明のアンチバンピング・シリンダーの一態様を示す断面図である。純正キー３９を挿入した時の内部構造を示す。
【図１５】図１４の背面図。但し、テールディスクは示されていない。
【図１６】図１４の本発明のアンチバンピング・シリンダーにおいて、バンプキー５９を挿入した時の内部構造を示す断面図である。
【図１７】図１６でバンプキーを叩き込んで下ピンに衝撃エネルギーを与えた瞬間の構造を示す断面図である。バンプキーも奥にスライドしてキースペーサー４９が押され、その斜面に従ってロックピン５２が下がり、ロックピン・ドロップ溝５４に落ち込んで内筒の回転がロックされた様子を示している。
【図１８】図１７の背面図。但し、テールディスクは示されていない。
【図１９】本発明のアンチバンピング・シリンダーの一態様を構成するロック機構部分の構成部品を示す分解斜視図である。
【図２０】図１５で示した本発明のアンチバンピング・シリンダーの背面部分の斜視図である。ロックピン５２がフリーの状態を示している。
【図２１】図１８で示した本発明のアンチバンピング・シリンダーの背面部分の斜視図である。ロックピン５２が下がり、切り欠け溝５４に落ち込んで内筒の回転がロックされた様子を示している。
【符号の説明】
【０００９】
１.       
６ピンシリンダー用純正キー
２.       
本発明に係るアンチバンピング・シリンダー内筒
３.       
シリンダー外筒とシリンダー内筒が接する面の内筒側
４.       
シリンダー外筒
５.       
シリンダー外筒とシリンダー内筒が接する面の外筒側
６.       
シャーライン
７.       
スプリング
８.       
スプリングカバー
９ａ.  上ピン
９ｂ.  上ピン
９ｃ.  上ピン
９ｄ.  上ピン
９ｅ.  上ピン
９ｆ.  上ピン
１０.  ストッピング・ボール用スプリング
１１.  外筒背面
１２.  ストッピング・ボール
１３.  外筒背面とテールディスクとの隙間
１４.  テールディスク
１５.  ストッピング・ボール穴
１６.  純正キーのカット面
１７ａ.  下ピン
１７ｂ.  下ピン
１７ｃ.  下ピン
１７ｄ.  下ピン
１７ｅ.  下ピン
１７ｆ.  下ピン
１８.  篏合部分
１８ａ.  外筒側篏合用突起
１８ｂ.  内筒側篏合用切り欠け
１９.  バンプキー
２０.  バンプキーのカット面
２１.  シリンダー内筒正面とバンプキーのショルダー部との隙間
２２.  シリンダー内筒
２３.  シリンダー内筒の外筒との接面
２４.  シリンダー外筒
２５.   シリンダー外筒の内筒との接面
２６.  シャーライン
２７.  スプリング
２８.  スプリングカバー
２９ａ.  上ピン
２９ｂ.  上ピン
２９ｃ.  上ピン
２９ｄ.  上ピン
２９ｅ.  上ピン
２９ｆ.  上ピン
３０.  ストッピング・ボール用スプリング
３１.  シリンダー外筒背面部
３２.  ストッピング・ボール
３３.  シリンダー外筒背面部３１とテールディスクとの隙間
３４.  テールディスク
３５.  ストッピング・ボール穴
３６ａ.  下ピン
３６ｂ.  下ピン
３６ｃ.  下ピン
３６ｄ.  下ピン
３６ｅ.  下ピン
３６ｆ.  下ピン
３７.  篏合部分
３８.  シリンダー内筒正面とバンプキーのショルダー部との隙間
３９.  ディンプル型純正キー
４０.  シリンダー内筒正面と純正キーのショルダー部との隙間
４１.  シリンダー内筒
４２.  シャーライン
４３.  シリンダー外筒
４４.  スプリング
４５.  スプリングカバー
４６ａ.  上ピン
４６ｂ.  上ピン
４６ｃ.  上ピン
４６ｄ.  上ピン
４６ｅ.  上ピン
４７.  ストッピング・ボール用スプリング
４８.  ストッピング・ボール
４９.  キースペーサー
５０.  テールディスク
５１.  テールプレート
５２.  キースペーサー用スプリング
５３.  ロックピン
５４.  ロックピン・ドロップ溝
５５.  純正キー先端部
５６ａ.  下ピン
５６ｂ.  下ピン
５６ｃ.  下ピン
５６ｄ.  下ピン
５６ｅ.  下ピン
５７.  シリンダー内筒背面部
５８ａ.  テースディスク固定用ねじ穴
５８ｂ.  テースディスク固定用ねじ穴
５８ｃ.  テースディスク固定用ねじ穴
５８ｄ.  テースディスク固定用ねじ穴
５９.  ディンプル型バンプキー
６０.  ディンプル型バンプキー先端部
６１ａ.  固定ねじ
６１ｂ.  固定ねじ
【発明を実施するための最良の形態】
【００１０】
本発明に係るアンチバンピング・シリンダーは、ピンシリンダー内筒の一部とそれに関わる外筒部分の一部を加工することによって達成される。
バンピングの手法によれば、下ピンに衝突エネルギーを与えることによって、シャーラインを跨いでいる上ピンを弾き飛ばし、シャーラインをフリーにすることで内筒の回転を可能にする。つまり、衝撃を与えるために、必ずバンプキーのヘッド部分を内筒内に叩き込むという行為と、それによって生じるシャーラインフリー状態の瞬間に内筒を回転させるという動作を行って開錠に至るわけである。
そこで、このバンピングによる不正解錠を防ぐには、内筒の回転を何らかの方法で抑制すればよく、例えば、外筒側の内筒との接触部分に内筒と篏合する機構を設け、内筒に押込み応力を加えた際に当該篏合部分が篏合して内筒の回転を抑制することによってバンピングによる不正解錠を防げることがわかり発明の完成に至った。ここで、外筒と内筒が篏合する構造や場所は特に制限されるものではなく、内筒が一瞬、押し込まれた状態において、効率よく確実に内筒が外筒の一部と篏合する仕組みを形成していればよい。また、同様の篏合部分を形成した内筒と外筒の関係において、キーが挿入されていない定常状態で、既に当該篏合部分が篏合し合っているシリンダーシステムにおいて、純正キーを挿入して回転させる際、内筒後方に固定したテールディスクと外筒後方先端部との隙間分、シリンダー内筒が前方に飛び出して篏合部分を解除して内筒の回転をフリーにする様式の構造であってもよい。
さらに、シリンダー外筒の背面部に溝を設け、キー先端と接する先端合わせ部品が、キーの挿入に合わせて慴動する構造を有し、さらに当該先端合わせ部品の動きによって、外筒の背面部に設けられた溝に篏合する部品を組み合わせることにより、バンピングによって、キーがある一定以上の力で押し込まれた場合、この先端合わせ部品が奥に押し込まれ、その結果、篏合部分が作用して内筒の回転を抑制することによりバンピングによる不正解錠を防ぐこともできる。
これらの内筒回転抑制機構は、キーの先端でピンホールのピッチとキーのカットを合わせているような先端合わせのシリンダーシステムにも、シリンダー挿入口でピッチを合わせているようなシリンダーシステムにも両方適用可能である。
また、篏合の機構には特に決まった方式は無く、内筒への押圧、もしくは一定以上の力によるキー挿入力によって、内筒の回転を抑制できる機構であればよく、自由に形成できる。
これら内筒の回転を制御するための機構に使用される部品の大きさや材質に関しても制限されるものではないが、シリンダーとしての機能に支障がなく、錠前への取り付けにも影響を受けない大きさであって、材質的にも日常の開錠操作やバンピングによる連続的な押打にも耐えられる材質であって、通常、シリンダーに使用され錆に強く耐久性のある鉄や真鍮、ステンレスなどの金属製のものが好ましい。
さらに本発明のアンチバンピング機構は、単純なピンシリンダー以外にも組み合せて使用することができる。例えば、ディスクタンブラー系と組み合わせたり、サイドバー機構と組み合わせたり、二重素子ピンのシリンダー系に応用して用いたり、マグネチックピンを用いたシリンダー系と組み合せて使用したり、さらにはＩＣチップで認識するような電気系のシリンダーと組み合せてハイブリットなシリンダーにすることも出来る。シリンダー本体の形状にも制限は無く、国内はもとより、海外のシリンダー錠に適合できる形状にすることもできる。
上記のアンチバンピング機構を用いれば、バンピングに対して完全なる効果が発揮され、同時に、これまでのピックガン等による不正解錠やピッキングに関しても効果がある。
【作用】
【００１１】
以下、本発明に係るアンチバンピング・シリンダーの作用について説明する。
従来の上ピンと下ピンの２種類のピンを用いたシリンダー錠においては、純正キーを挿入する前の段階で上ピンがシャーラインを跨ぎ、内筒の回転を阻止しているが、純正キーを挿入すると、その純正キーにカットされた溝（鍵山）に下ピンが位置することによって、上ピンとの間にシャーラインと一致する境界面が形成され、その位置で内筒の回転がフリーになって内筒がまわるような構造となっている。
バンピング行為は、そのシリンダーに特有のバンプキーを製作し、当該バンプキーをシリンダー内筒挿入した後、当該バンプキーのヘッド部分を叩き込むことで、当該バンプキーがシリンダー内の下ピンに衝突し、その衝突エネルギーが相対する上ピンに伝わって弾かれ、その結果、下ピンと上ピンとの間がフリーになり、この一瞬のうちに内筒に回転トルクを掛けることによって、内筒を回すというものである。つまり、上ピンを弾き飛ばすためには下ピンに対して、適当な衝撃を与える必要があり、その衝撃を与える手段としてバンプキーを何らかの工具で叩き込むという行為が必要となる。
そこで、衝撃を与えるための、この叩き込みに着目し、叩き込んで上ピンが弾かれ、シャーラインがフリーな状態になっても、内筒自体が外筒と篏合して動かない状態をつくれば、内筒が回転して開錠することは無く、バンピングに対して効果的な対策ができる。すなわち、本発明のアンチバンピング機構の最も特徴的な効果は、バンピング行為によって、内筒の回転を一瞬ロックさせてしまうことにある。篏合構造によって、内筒の動きをロックしてしまえば、バンピングによって上ピンが弾かれてシャーラインがフリーになったとしても、内筒を回転すること自体できず、その結果バンピングによる不正解錠から守ることができる。この篏合状態は、純正キーなどでシャーラインがフリーな状態をつくらずに、純正キー以外のもの、例えばカギ開けに用いる工具であるテンション等によって、最初から回転力を掛けようとした場合や、バンピングなどの強い押し込み押圧が加わった場合に作用し内筒の回転を阻止する。しかし、純正キーによって普通に内筒を回転させる場合には、簡単に当該篏合部分が解除されて内筒の回転がフリーな状態になる。
本発明のアンチバンピング機構は、現行の様々なシリンダーに対して、大幅な加工をすること無しに、全てのシリンダーに対して適用が可能であることから、幅広く応用可能な発明である。
更に、本発明のアンチバンピング機構の優れたもう一つの効果は、シリンダーの定常状態、すなわちキーを挿入していない状態の時に、すでに篏合している状態のシリンダー機構として用いれば、ピッキング等の行為を行うため、専用工具でテンションを掛けようとしても、すでに篏合状態なために内筒に回転応力が掛けられず、よって、この状態でピッキングを試みても、下ピンと上ピンにはテンションが掛かっていないため、何の感触も無く、ピックで下ピンを持ち上げても、放せば直ぐに落ちてしまい、所謂、上ピンがシャーラインの位置で決まるという状態にはならない。従って、当該アンチバンピング機構は、その篏合の仕組みを考慮することによって、ピッキング行為に対しても有効な対策となる。
また、本発明のアンチバンピング・シリンダーのもう一つの特徴は、アンチバンピング機構を組み込んでも、外観上は全く変化しないことである。すなわち、対策前の従来品と外観上では区別ができないため、従来製品を保護することにもなる。つまり、外観上に大きな違いがあれば、対策前の製品が選択的にターゲットにされてしまうことも考えられるため、外観上に違いが無いことは、狙う側からすると、バンピングしてみないとわからないという、厄介なシリンダーになるのでターゲットから外すという心理的な効果も得られる。
一方、外観上に違いがないアンチバンピング機構は、純正キーを用いて内筒を回す時に対策前の従来品との違いを感触で感じることができる。すなわち、内筒を回転させる瞬間に篏合が解かれてシリンダー内筒が手前に浮く感触を感じることができるため、対策されているシリンダーであることがわかる。
本発明によって、比較的簡単な構造をシリンダーに持たせることで、ピンシリンダーの最も致命的な弱点を補うことができ、バンピングの脅威から逃れるための最も効果的な方法が見出された。すなわち本発明のアンチバンピング・シリンダーは、ピンシリンダーに対して知られる代表的な無傷開錠手法であるピッキングやバンピングに対して、効果的な防止機能を備えた防犯シリンダーと言える。
また、本発明は、あらゆるピンシリンダーに適用可能であり、従来知られているバンピング対策と組合せて用いることも可能である。さらに日本国内のピンシリンダーはもとより、海外で多く使用されているプロファイルシリンダーなど、ピンを用いるシリンダー全てに適応可能である上、他のロック機構と組み合わせてハイブリットなシリンダーを構築することも可能になるため、今後、バンピング対策のための基本構造として有効な手段に成り得る。
【実施例１】
【００１２】
以下、本発明のアンチバンピング・シリンダーについて、実施例に基づき説明する。以下の例では、最も基本的なピンシリンダーについて説明する。
本発明に係るアンチバンピング・シリンダーの一態様を図とともに説明する。図１は６本のピンを内装したアンチバンピング・ピンシリンダーの構造を示す断面図、図２は当該アンチバンピング・シリンダーの純正キーを用いて内筒を回転させる際の内部構造を示す断面図、図３は当該アンチバンピング・シリンダーにバンプキーを挿入した際の内部構造を示すに断面図、図４はバンプキーを内筒内に叩き込んで下ピンに衝突エネルギーを与えた瞬間の説明図、図５および図６は各々当該アンチバンピング・シリンダーの外筒と内筒を示す外観図、図７はキーを挿入する前の定常状態を示す外観図（以下、キーを挿入する前のシリンダー状態を「定常状態」という）、図８は、純正キーを挿入して内筒を回す直前の状態を示す外観図、図９および図１０は、図７および図８の一部拡大図である。
図において、本発明のアンチバンピング・シリンダーに純正キー１を挿入した場合、図１に示すごとく、キーの段差に対応して下ピン１７ａないし１７ｆと相対する上ピン９ａないし９ｆの境界面がシャーライン６と一致する。この状態において、ストッピングボール１２はスプリング１０のスプリング圧によって、シリンダー内筒２側のストッピングボール穴１５に押されてシリンダー内筒２が固定されている。シリンダー内筒２の背面部にはテールディスク１４が固定されているが、一般のシリンダーでは外筒４の背面部１１に密着した状態になるように、内筒の長さが調整されている。しかし、本発明のアンチバンピング・シリンダーの内筒２は、外筒４の背面部１１よりも適当な長さ分長く、これにテールディスク１４が固定されているため、テールディスク１４と外筒４の背面には内筒２が長い分だけ適当な隙間１３が存在する。ここで、本発明のアンチバンピング・シリンダーは、純正キーのショルダー部分が内筒２の正面入口に接して、各下ピンのピッチと一致するように作られたシリンダーであるため、純正キーを挿入して内筒が回転できる位置では、純正キー１と内筒２の正面入口部分に隙間はできない。
通常、純正キー１によって上記のようなシャーライン６が揃った状況ができなければ内筒２は、下ピンと上ピンの位置（ピッチ）が揃った位置で固定されて動かない状態を保持するが、上ピンがシャーライン６を妨げない状態、すなわち純正キーが挿入されたような状況においては、内筒は回転がフリーになるだけでなく、前述の隙間１３の分だけ前方（図中では左方向）への摺動がフリーになる。
また、本発明のアンチバンピング・シリンダーのもう一つの特徴は、キーが挿入されていない状態において、内筒２と外筒４は適当な機構による篏合部分１８が設けられており、定常状態においては内筒２の回転をロックしている。従って、純正キー１を挿入して下ピンと上ピンの境界がシャーラインと一致してもキーをシリンダー後方に押しながら回そうとすると、この篏合部分１８の働きによって内筒２の回転が阻止されている。
そこで、純正キー１を挿入して内筒２が上ピンによる固定を解除された状態で純正キーを軽く回すと、図２に示すごとく篏合部分１８のロックが解除されるように内筒２が前方に摺動しながら、内筒２の後方の隙間１３が無くなる位置まで移動して回転がフリーになる。つまり、シリンダーの内筒２は、前方に若干迫り出しながら回転することになる。この状態では下ピン１７ａないし１７ｆと相対する上ピン９ａないし９ｆのピッチがずれているが、内筒２の回転が元に戻れば、ストッピングボール１２のスプリング１０の力によって、内筒２が奥に戻り、図１の状態になるように調整されている。内筒２が前方に摺動して内筒２の後方の外筒との隙間１３が無くなると同時に、内筒２と外筒４の篏合部分１８が解除できる距離だけ、内筒側の接面３と外筒側の接面５との間に隙間が生じる。この隙間ができると内筒２の回転はフリーになって内筒が回転可能となる。
次に、バンプキー１９が本発明のアンチバンピング・シリンダーに挿入された場合の状況を図３ないし図４で説明する。図３は、本発明のアンチバンピング・シリンダーにバンプキー１９が挿入された時の内部状態を示す断面図である。ここで、バンプキー１９の特徴は解説するまでもないが、一般にはシリンダーの内筒内に存在する最も長い下ピンの上端が、シャーラインと一致するように全てのピン位置でカットされたキーを指すが、図３に示すごとく、キーのカット２０の深さを極端に深くして最も長い下ピン１７ｂの上端が、シャーラインよりも内筒内に位置するくらいにカットして揃えたものでもよい。また、バンプキーのヘッド部分をハンマーのような工具で内筒内に叩き込んで下ピンに衝突エネルギーを与えるため、内筒２の正面入口とキーのショルダー部分が接触する部分２１には、純正キーでは存在しない隙間を作るように適当な距離だけショルダーをカットしてもよい。
このようなバンプキー１９を本発明のアンチバンピング・シリンダーに挿入した状態では、当然のことながら図３に示すごとく、上ピン９ａないし９ｆのように内筒２と外筒４とのシャーライン６を跨いだ状態で位置し、内筒２の回転は起こらない。
そこで、バンプキー１９のヘッド部分を、ハンマーのような工具を用いて叩き込む衝撃を与えると、キーカット２０のスロープ部分が各々の下ピン１７ａないし１７ｆに同時に衝突し、その衝撃エネルギーが相対する上ピン９ａないし９ｆに伝わって、図４に示すごとく、外筒４内へ一瞬、弾き飛ばされる。従来型のピンシリンダーであれば、この瞬間にタイミング良く内筒に回転応力を掛けると、内筒が回ってしまい開錠に至るわけであるが、本発明のアンチバンピング・シリンダーにおいては、内筒２が定常状態で外筒４と篏合部分１８で回転がロックされているため、内筒２に押し込む力が加わると、回転をロックする方向に作用するだけで、内筒２の回転はフリーにならない。つまり、バンプキーの衝撃によって、上ピンが弾き飛ばされてシャーラインがフリーになったとしても、肝心の内筒２と外筒４の篏合部分１８が解除されない方向に、必ず力が加わるため、内筒２の回転がロックされバンプキー１９による開錠には至らない。これが、本発明のアンチバンピング・シリンダーの基本的な原理を示す一態様である。
ここで、本発明のアンチバンピング・シリンダーの内筒２と外筒４が篏合する機構について説明するが、当該篏合機構についても、様々な様式が適用可能であり、シリンダー全体の大きさや形状、また内筒と外筒の構造、形状によって自由な機構を構成することができ、特に限定されるものではない。例えば、図５に示すごとく、外筒４の内筒穴の入口部分に突起１８ａを設け、それに篏合可能な切り欠け１８ｂを有する内筒２を組み合わせることによって、図７に示すようなシリンダーシステムが組める。すなわち、定常状態においては、外筒側の突起１８ａと内筒側の切り欠け１８ｂがきっちり篏合した状態にあり、この状態では内筒２の回転がロックされた状況にある。この状態を部分的に拡大して示したものが図９である。図９に示すように、突起１８ａが内筒２の切り欠け１８ｂと篏合しているため、この状態では内筒２は回転できない状態に置かれている。
次に、純正キーを挿入して、上ピンと下ピンの境界面がシャーラインと一致して内筒２の回転がフリーになった状態において、内筒２にゆっくりと回転応力を掛ける瞬間、内筒２が前方に迫り出すことによって、外筒側の突起１８ａと内筒側の切り欠け１８ｂの篏合が解除されている様子を示したのが図８である。但し、ここでは純正キーは図示されていない。この状態を部分的に拡大して示したものが図１０である。図１０に示すごとく、突起１８ａが内筒２の切り欠け１８ｂから解除するように内筒２が前方に慴動していることがわかる。この状態においては、内筒２の回転がフリーになり、その結果、純正キーでの回転（開錠）が可能となる。
以上が篏合機構の一態様であるが、これ以外にも様々な機構が考えられ、どんな機構を用いるかは、内筒に対して押し込み応力が加わる状況で内筒の回転が阻止できる機構であれば、どんな様式でも応用が可能である。望ましくは、内筒と外筒の回転やキーの挿入によって、摩耗や損傷のない構造と材質を選択する必要がある。
実際に錠前に本発明のアンチバンピング・シリンダーを設置する場合、純正キー１によってシリンダー内筒２を回転させるとテールディスク１４が前方にスライドする分、錠前本体のカム部分から離れる状態になるので、適当な遊びを考慮して設置するほか、テールディスクの長さを適当に調整する必要があることは言うまでもない。
また、本発明のアンチバンピング・シリンダーにおいては、その要となる篏合部分が外筒と内筒の一部に設けられており、外観上、何ら大きな特徴が無い。すなわち、バンピング可能な従来のシリンダー構造全てに応用が可能であるばかりか、外観上大きな変更がないため、これを攻略しようと企てる犯罪者にとって、従来型と本発明のアンチバンピング・シリンダーとの区別がつかない。その結果、本発明のアンチバンピング・シリンダーが市場に出回ったとしても、それによって、バンピングに弱い従来型のシリンダーだけが一方的に狙われるという状況をつくらない。
また、このシリンダーの使用者にとっては、外観上、何ら違いを感じ取れなくても、実際に純正キーを挿入して内筒を回転しようとすると、バンピング可能な従来型のシリンダーには無い動きが感じられるので、自分が使用しているシリンダーが、バンピング対策品、すなわち本発明のアンチバンピング・シリンダーであるということがわかる。
さらに、本発明のアンチバンピング・シリンダーのもう一つの効果として、バンピング行為以外にピッキング行為にも作用することが挙げられる。すなわち、通常のピッキング行為によると、テンションという工具によってシリンダー内筒２に回転応力を掛けながら、ピック等で下ピンを上げる行為を行うが、定常状態において、既に内筒２の回転がロックされているためテンションが掛けられず、その結果、下ピンを上げて行くという行為自体が原理的に出来ないことになる。従って、本発明のアンチバンピング・シリンダーによって、バンピングにもピッキングにも強いシリンダーシステムを提供することが出来る。
本発明のアンチバンピング・シリンダーは、ピンの本数に関りなく適用可能で、キーの形状も板の辺の部分をカットした古典的なキーから、最近多く採用されている面の部分に穴を開けた、いわゆるディンプルキーと言われるキーを用いることも可能である。また、日本国内のピンシリンダーに限らず、海外で最も多く使用されているプロファイルシリンダーなどにも応用が可能であるばかりか、ピンシリンダー構造ばかりでなく、ディスクシリンダーや、それらを組み合わせたマルチタイプのシリンダーにも適応可能なバンピング対策を提供できる。
【実施例２】
【００１３】
以下、本発明のアンチバンピング・シリンダーの実施例１を応用した一態様を図とともに説明する。
図１１ないし図１３は、篏合の仕組みが実施例１と逆のパターンのシリンダーシステムを説明するための断面図である。ここで、図１１は、本発明のアンチバンピング・シリンダーに純正キー１を挿入した時のシリンダー構造を示したものである。実施例１との違いは、定常状態で篏合部分３７が篏合せずにフリーな状態にあることである。また、シリンダー内筒２２の背面部に設置されたテールディスク３４とシリンダー外筒２４の背面部３１は密着状態になっており、その間には隙間３３が出来ていないことが実施例１のシリンダーシステムと大きく異なるところである。
このシリンダーシステムにおいて、純正キー１を挿入すると、キーのカット１６に従って、それに接する下ピン３６ａないし３６ｆが押し上げられて、相対する上ピン２９ａないし２９ｆとの境界面がシャーラインと一致してシリンダー内筒２２の回転がフリーな状態になる。ここで、シリンダー内筒２２に回転応力を掛けると、通常のシリンダーと同じく回転自在に内筒２２が動く。この際、実施例１の時のようにシリンダー内筒２２が前方に迫り出すことはなく、内筒２２の前後の位置に変わりはない。
次に、このシリンダーシステムにバンプキー１９を挿入した際の状況を説明する。図１２は、バンプキー１９をシリンダー内筒２２に挿入した際の内部構造を示した断面図である。バンプキー１９を挿入すると、バンプキー１９のカット２０に従って、各々の下ピン３６ａないし３６ｆが揃い、相対する上ピン２９ａないし２９ｆはシャーラインを跨ぐように位置する。従って、この状態で内筒２２の回転は阻止された状態になる。ここで、バンプキー２２を挿入した際、当該バンプキー１９のショルダー部分とシリンダー内筒２２の正面入口部分には隙間３８が存在する。
この状態からバンピング行為を行うため、バンプキー１９のヘッド部分をハンマーのような工具で叩き込むと、前述の隙間３８ぶんだけバンプキーがシリンダー内筒２２内に移動し、カット２０のスロープ部分が各々の下ピン３６ａないし３６ｆに衝突して相対する上ピン２９ａないし２９ｆに衝突エネルギーが伝わって、一瞬シリンダー外筒４３内に弾き飛ばされる。この時、ハンマーによる叩き込みの力によって、下ピン３６ａないし３６ｆに衝突エネルギーが伝わると同時にシリンダー内筒２２も外筒２４の奥に押込まれる力が生じる。外筒２４の内筒穴内には、定常状態において隙間２３が存在しており、この隙間分だけ内筒２２は外筒２４の奥へ摺動可能な状況にある。従って、叩き込みの力によってバンプキー１９のショルダー部分によって、内筒２２も外筒２４の奥へ押込まれる力が加わり、隙間２３の距離だけ奥へスライドし、その結果、篏合部分３７が篏合されて内筒２２の回転がロックされる。
つまり、バンプキー１９への衝突エネルギーによって上ピン２９ａないし２９ｆが弾き飛ばされてシャーラインがフリーになると同時に、内筒２２が奥へスライドする結果、篏合部分３７が作用してロックが掛り、内筒２２の回転が阻止されることで、バンピングによる不正解錠を完全に阻止できる。
ここで、シリンダー内筒２２と外筒２４との篏合機構に特に制限は無く、実施例１で示した篏合機構を採用しても良い。また錠前への設置の場合、実施例１の場合と異なり、純正キー１を使用してシリンダー内筒２２を回転させる場合には内筒２２はスライドしないため特に問題はないが、バンピング行為によって押込みの力が生じた場合、シリンダー内筒２２が奥へスライドしないと篏合部分３７が作用しないため、内筒２２がスライドしても錠前本体のカム機構等と接触してスライドが妨げられるようなことがないような遊びを設けるか、テールディスクの長さを調整する必要があることは言うまでもない。
このように、本発明のアンチバンピング・シリンダーは、バンピング行為によってシリンダー内筒２２の回転をロックできるため、バンピング行為による不正解錠を完全に阻止する効果が得られる。
この方法によれば、ピンの本数、下ピンや上ピンの形状、下ピンとキーとの接触角度、ピンの材質などに係わらず、上ピンと下ピンから構成される全てのピンシリンダーに適応可能なバンピング対策を提供できる。
【実施例３】
【００１４】
以下、本発明のアンチバンピング・シリンダーを、キーの先端でピッチを調整しているシリンダーシステムに適用した一態様を図とともに説明する。また、使用するキーの形状をディンプルキーとしている。
図１４はキー先端でキーのカットと下ピンのピッチ間隔を調整している本発明のシリンダーシステムに、純正キー３９を挿入した時の断面図である。純正キー３９をシリンダー内筒４１に挿入すると、キー先端部５５がシリンダー内筒奥に設置されたキースペーサー４９にぶつかり、この位置でキーのカットと各々の下ピン５６ａないし５６ｅのピッチが一致して、下ピンと相対する上ピン４６ａないし４６ｅの境界面がシャーラインと一致してシリンダー内筒４１の回転がフリーな状態になる。
ここで、シリンダー内筒４１の奥に設置されたキースペーサー４９とその周辺の構造について図１４、図１５ならびに図１９、図２０と共に言及すると、キースペーサー４９は、カップ状になっており、その内側にスプリング５２が存在してテールディスク５０から、ある一定の距離だけ押されるような力が掛っている。純正キーを普通の力で挿入すると、キーの先端部５５がキースペーサー４９にぶつかって止まり、この位置でキーカットのピッチと各々の下ピンのピッチ間隔が揃うように調整されている。さらに当該キースペーサー４９は斜めの形状を有し、その部分と摺動可能なロックピン５３が接触するように配置されており、キースペーサー４９の前後の動きに合せて、このロックピン５３が上下方向に移動して、シリンダー内筒背面部に設けられたロックピン・ドロップ溝５４とのスペースを自在に摺動可能に配置されている。キースペーサー４９の内側に存在するスプリング５２のスプリング圧は、普通に純正キーを挿入してキーを操作するくらいの押込み力では縮まない強度を持っている。従って、定常状態および純正キー３９を普通に挿入した場合には、シリンダー内筒４１をロックする機構は作用しない。その状態を背面側から見たものが図２０であり、ロックピン５３はロックピン・ドロップ溝５４に落ちない状態で保持されている。この背面側のロック機構を構成する部品の分解斜視図を示したのが図１９で、キースペーサー４９は、内筒５７の背面部分の切削部分に保持されて設置されている。
次に、専用のバンプキー５９を挿入した際の状況について図１６を用いて説明する。バンプキーを普通の力で挿入すると、バンプキーの先端部６０がキースペーサー４９にぶつかって止まり、この位置で各々の下ピンがバンプキーのカット部分に落ち込んで、相対する上ピンがシャーラインを跨ぐ位置に配置される。このようにバンプキーを普通に挿入した位置では、ロックピン５３はロックピン・ドロップ溝５４に落ち込んでおらずロックは掛っていないが、上ピンがシャーラインを跨いで存在するので、この状態ではシリンダー内筒４１の回転はフリーではない。
そこで、図１７に示すごとく、バンピング行為を実行するため、バンプキー５９のヘッド部分をハンマーのような適当な工具によって叩き込んで下ピンに衝突エネルギーを与えた場合、図に示したように一瞬、上ピンが弾き飛ばされてシャーラインがフリーな状態ができる。しかし一方で、叩き込む力によってキーの先端部分６０がキースペーサー４９を押込む形になり、それと連動するようにロックピン５３がロックピン・ドロップ溝５４に落ち込んでロックされる。この時のロック状態を背面側から見たものが図１８および図２１の斜視図である。従って、この状態の瞬間に内筒を回そうと試みても内筒４１の回転はロックされているため、結果的にバンピングによる不正解錠を完全に阻止できる。ここで、シリンダー内筒４１と外筒４３との篏合機構に特に制限は無いが、本実施例のような先端合わせのシリンダーシステムの場合には、キースペーサーを利用した篏合機構を採用しても良い。
このように、本発明のアンチバンピング・シリンダーは、バンピング行為によってシリンダー内筒４１の回転をロックできるため、バンピング行為による不正解錠を完全に阻止する効果が得られる。
この方法によれば、ピンの本数、下ピンや上ピンの形状、下ピンとキーとの接触角度、ピンの材質などに係わらず、上ピンと下ピンから構成される全てのピンシリンダーに適応可能なバンピング対策を提供できる。  
【産業上の利用可能性】
【００１５】
本発明に係るアンチバンピング・シリンダーによれば、比較的簡単に現行のピンシリンダーの弱点を改良でき、完全なるバンピング対策法を提供できる。また複数のピンを用いたピンシリンダー系や他のロック機構との組み合せにおいても適用可能であり、さらには公知のバンピング対策との組合せも可能であることから、応用範囲は広い。
【図１】
2009037729.tif 000003
【図２】
2009037729.tif 000004
【図３】
2009037729.tif 000005
【図４】
2009037729.tif 000006
【図５】
2009037729.tif 000007
【図６】
2009037729.tif 000008
【図７】
2009037729.tif 000009
【図８】
2009037729.tif 000010
【図９】
2009037729.tif 000011
【図１０】
2009037729.tif 000012
【図１１】
2009037729.tif 000013
【図１２】
2009037729.tif 000014
【図１３】
2009037729.tif 000015
【図１４】
2009037729.tif 000016
【図１５】
2009037729.tif 000017
【図１６】
2009037729.tif 000018
【図１７】
2009037729.tif 000019
【図１８】
2009037729.tif 000020
【図１９】
2009037729.tif 000021
【図２０】
2009037729.tif 000022
【図２１】
2009037729.tif 000023
【国際調査報告】
2009037729.tif 000024
2009037729.tif 000025
2009037729.tif 000026
2009037729.tif 000027
2009037729.tif 000028
2009037729.tif 000029